(57)【要約】【課題】直接通信中の無線端末装置でも緊急通話は迅速に受信することができるようにした無線通信システムを提供する。【解決手段】無線基地局２と無線通信チャネル８を介して接続した無線端末装置７に、無線基地局２からの緊急通報を受信する基地局用受信機１２と、他の無線端末装置９ａ，９ｎと直接通信が可能な直接通信用受信機１３と、他の無線端末装置９ａ，９ｎと直接通信が可能な送信機１４と、基地局用受信機１２が緊急通報を受信したことを検出したとき送信機１４を基地局用受信機１２に接続する切替スイッチ手段１８を設け、直接通信状態でも直ちに無線端末装置７を中継して、無線端末装置７と直接通信を行っている他の無線端末装置９ａ，９ｎで緊急通報を受信できるようにした。【選択図】図１
2010068192.tif 000002
【特許請求の範囲】
【請求項１】
指令端末装置からの緊急通報を所定の無線端末装置に対して送信する無線基地局と、この無線基地局からの無線通信チャネルを介して緊急通報を受信する無線端末装置と、前記無線基地局を経由せずにこの無線端末装置と直接通信可能な他の無線端末装置とを備えた無線通信システムにおいて、前記無線基地局から受信する前記無線端末装置に、前記無線基地局からの緊急通報を受信する基地局用受信機と、前記他の無線端末装置と直接通信が可能な直接通信用受信機と、前記他の無線端末装置と直接通信が可能な送信機と、前記基地局用受信機が緊急通報を受信したことを検出したとき前記送信機と前記基地局用受信機とを接続して緊急通報を他の無線端末装置に中継送信する切替スイッチ手段とを設けたことを特徴とする無線通信システム。
【発明の詳細な説明】
【技術分野】
【０００１】
本発明は、無線端末装置で緊急通報を受信するように構成した無線通信システムに関するものである。
【背景技術】
【０００２】
従来の無線端末装置で緊急通報を受信するように構成した無線通信システムとして、指令端末装置からの緊急通報を無線基地局からの無線通話チャネルを介して受信する無線端末装置と、無線基地局を経由しないで上述の無線端末装置との間で直接通信可能な他の無線端末装置を使用するものが知られている。このような無線通信システムでは、無線基地局からの緊急通報を受信可能な無線端末装置と、他の無線端末装置との間で直接通信を行っているときに、無線基地局からの緊急通報が送信されると、無線基地局からの緊急通報を受信可能な無線端末装置が直接通信用周波数で使用中であるため、無線基地局からの緊急通報を受信することができない。そこで、従来の無線通信システムでは、緊急通報に先立って指令端末装置から直接通信を強制的に遮断する信号を送信し、その後に、指令端末装置から緊急通報を発するようにしていた（例えば、特許文献１を参照）。
【特許文献１】特開２００７−５３５７２号公報
【発明の開示】
【発明が解決しようとする課題】
【０００３】
しかしながら、従来の無線通信システムでは、指令端末装置からの緊急通報に先だって直接通信を遮断する信号を送信しなければならず、指令端末装置の構成や処理手順を複雑にしたり、緊急通報の通信遅れを生じさせてしまう。
【０００４】
本発明の目的は、直接通信中の無線端末装置でも緊急通話は迅速に受信することができるようにした無線通信システムを提供することにある。
【課題を解決するための手段】
【０００５】
本発明は上記目的を達成するために、指令端末装置からの緊急通報を所定の無線端末装置に対して送信する無線基地局と、この無線基地局からの無線通信チャネルを介して緊急通報を受信する無線端末装置と、前記無線基地局を経由せずにこの無線端末装置と直接通信可能な他の無線端末装置とを備えた無線通信システムにおいて、前記無線基地局から受信する前記無線端末装置に、前記無線基地局からの緊急通報を受信する基地局用受信機と、前記他の無線端末装置と直接通信が可能な直接通信用受信機と、前記他の無線端末装置と直接通信が可能な送信機と、前記基地局用受信機が緊急通報を受信したことを検出したとき前記送信機と前記基地局用受信機とを接続して緊急通報を他の無線端末装置に中継送信する切替スイッチ手段とを設けたことを特徴とする。
【発明の効果】
【０００６】
本発明の無線通信システムによれば、従来のように無線基地局から受信する無線端末装置と他の無線端末装置との間での直接通信を想定して、この直接通信を遮断する信号を送信してから緊急通報を送信するなどの処理を施す必要はなくなり、指令端末装置を複雑にすることなく、直接通信状態を継続しながら直ちに無線基地局から受信する無線端末装置を中継して、これと直接通信を行っている他の無線端末装置でも緊急通報を速やかに受信することができる。
【発明を実施するための最良の形態】
【０００７】
以下、本発明の最良の実施の形態を図面に基づいて説明する。
図２は、本発明の一実施の形態による無線通信システムを示す概略構成図である。
アプローチ線１を介して無線基地局２に接続された回線制御装置３には、アプローチ線４を介して指令端末装置５が接続されている。無線基地局２は、その通信ゾーン６内に在圏する少なくとも一台の無線端末装置７と無線通信チャネル８を介して通信可能に構成され、また、この無線端末装置７は通信ゾーン６内の少なくとも一台の他の無線端末装置９ａ，９ｎと無線通信チャネル１０により直接通信可能に構成されている。ここで無線端末装置７は、例えば車載無線端末装置であり、他の無線端末装置９ａ，９ｎは、例えば携帯無線端末装置である。
【０００８】
図１は、上述した無線端末装置７の具体構成を示すブロック構成図である。
無線端末装置７には共用アンテナ１１と、無線基地局２からの受信用周波数に設定されて通信信号の受信を行う基地局用受信機１２と、他の無線端末装置９ａ，９ｎと直接通信が可能な直接通信用周波数に変換処理して通信信号の受信を行う直接通信用受信機１３と、他の無線端末装置９ａ，９ｎと直接通信が可能な直接通信用周波数に変換処理して通信信号を送信する送信機１４と、通信信号を音声変換して出力するスピーカ１５と、音声信号を入力するためのマイク１６と、スピーカ１５と基地局用受信機１２または直接通信用受信機１３とを切り替え接続する切替スイッチ手段１７と、送信機１４とマイク１６または基地局用受信機１２とを切り替え接続する切替スイッチ手段１８と、これら両切替スイッチ１７，１８の切替制御などを行う制御部１９とを有している。
【０００９】
この制御部１９は、周知の制御の他に、他の無線端末装置９ａ，９ｎとの直接通信時に切替スイッチ手段１７，１８を実線側に切り替えて保持し、スピーカ１５を直接通信用受信機１３に接続し、また送信機１４をマイク１６に接続する。また、この制御部１９は、基地局用受信機１２が無線通信チャネル８を介して無線基地局２からの緊急通報を受信したことを検出したとき切替スイッチ手段１７，１８を点線側に切り替えて、スピーカ１５を基地局用受信機１２に接続し、また送信機１４を基地局用受信機１２に接続する。
【００１０】
次に、指令端末装置３から緊急通報が発せられた場合の無線端末装置７の動作について説明する。
指令端末装置５で緊急通信開始操作を行って無線端末装置７に対して緊急通報を行うと、この緊急通報信号は、アプローチ線４、回線制御装置３およびアプローチ線１を介して無線基地局２に送られ、無線基地局２からは無線通信チャネル８を介して通信ゾーン６内に在圏する無線端末装置７に送信される。このとき、無線端末装置７と他の無線端末装置９ａ，９ｎが直接通信状態にある場合、無線端末装置７は、図２に示したように制御部１９によって切替スイッチ手段１７，１８を実線側に切り替えられて、スピーカ１５が直接通信用受信機１３に接続され、また送信機１４がマイク１６に接続されている。
【００１１】
しかしながら、無線端末装置７の基地局用受信機１２が無線通信チャネル８を介して無線基地局２からの緊急通報を受信したことを検出すると、制御部１９は切替スイッチ手段１７，１８を点線側に切り替えて、スピーカ１５を基地局用受信機１２に接続し、また送信機１４を基地局用受信機１２に接続する。
【００１２】
従って、受信した緊急通報は、基地局用受信機１２から切替スイッチ手段１７を介して無線端末装置７のスピーカ１５から音声出力される。また、基地局用受信機１２からの緊急通報信号が切替スイッチ手段１８を介して送信機１４に送られ、この送信機１４から直接通信していた他の無線端末装置９ａ，９ｎに送出されることになる。このため、他の無線端末装置９ａ，９ｎは無線端末装置７との直接通信を遮断することなく、その直接通信状態で直ちに無線端末装置７を中継して緊急通報を受信することができる。
【００１３】
上述したように、指令端末装置５からの緊急通報を無線通信チャネル８から送信する無線基地局２と、この無線基地局２からの無線通信チャネル８を介して送信された緊急通報を受信する無線端末装置７と、無線基地局２を経由することなく無線端末装置７との間で直接通信を行う他の無線端末装置９ａ，９ｎとを備えて無線通信システムを構成し、上述した無線端末装置７に、無線基地局２からの緊急通報を受信する基地局用受信機１２と、他の無線端末装置９ａ，９ｎと直接通信が可能な直接通信用受信機１３と、他の無線端末装置９ａ，９ｎと直接通信が可能な送信機１４と、基地局用受信機１２が無線通話チャネル８を介して無線基地局２からの緊急通報を受信したことを検出したとき送信機１４を基地局用受信機１２に接続する切替スイッチ手段１８を設けているため、従来のように無線端末装置７と他の無線端末装置９ａ，９ｎとの間での直接通信を想定して、この直接通信を遮断する信号を送信してから緊急通報を送信するなどの処理を施す必要はなくなり、指令端末装置５を複雑にすることなく、直接通信状態で直ちに無線端末装置７を中継して、無線端末装置７と直接通信を行っている他の無線端末装置９ａ，９ｎでも緊急通報を受信することができる。
【００１４】
上述した無線端末装置７は、例えば車載無線端末装置として構成されるため、収納スペースや電源容量を容易に確保することができ、この無線端末装置７に、無線基地局２からの受信用周波数に設定されて通信信号の受信を行う基地局用受信機１２と、他の無線端末装置９ａ，９ｎと直接通信が可能な直接通信用周波数に設定して通信信号の受信を行う直接通信用受信機１３と、他の無線端末装置９ａ，９ｎと直接通信が可能な直接通信用周波数に変換処理して通信信号を送信する送信機１４と、基地局用受信機１２が緊急通報を受信したことを検出したとき送信機１４と基地局用受信機１２を接続する切替スイッチ手段１８とを容易に付設することができる。
【産業上の利用可能性】
【００１５】
本発明による無線通信システムは、図１に示した構成以外の他の構成にも適用することができる。
【図面の簡単な説明】
【００１６】
【図１】本発明の一実施の形態における無線通信システムで使用する無線端末装置を示すブロック構成図である。
【図２】図１に示した無線端末装置を使用した無線通信システムを示す概略構成図である。
【符号の説明】
【００１７】
１    アプローチ線
２    無線基地局
３    回線制御装置
４    アプローチ線
５    指令端末装置
６    通信ゾーン
７    無線端末装置
８    無線通話チャネル
９ａ，９ｎ    無線端末装置
１０    無線通話チャネル
１２    基地局用受信機
１３    直接通信用受信機
１４    送信機
１５    スピーカ
１６    マイク
１７，１８    切替スイッチ
１９    制御部
【図１】
2010068192.tif 000003
【図２】
2010068192.tif 000004